(57)【要約】      （修正有）【課題】電磁誘導作用を利用して効率的に細胞の活性化を促進することができる美容方法及び美容器具を提供する。【解決手段】皮膚７表面で、磁石を有するヘッド部３を振動させて、電磁誘導により電流を発生させることによって、皮膚７の中で電子を振動させ細胞のまわりの栄養と老廃物をスムーズに流して、細胞でエネルギーを生成する能力を高める。【選択図】図４
2014030563.tif 000002
【特許請求の範囲】
【請求項１】
皮膚表面で、磁石を有するヘッド部を振動させて、電磁誘導により電流を発生させることを特徴とする美容方法。
【請求項２】
前記皮膚表面に接触する前記ヘッド部の接触部には、トルマリンが含まれていることを特徴とする請求項１に記載の美容方法。
【請求項３】
長尺に形成される柄部の先端にヘッド部が設けられる本体部と、
前記柄部を介して前記ヘッド部を振動させるために、前記柄部に着脱自在に取り付けられる振動装置とを備える美容器具であって、
前記ヘッド部は、磁石を有することを特徴とする美容器具。
【発明の詳細な説明】
【技術分野】
【０００１】
本発明は、電磁誘導作用を利用した肌の美容方法及び美容器具に関する。
【背景技術】
【０００２】
従来から、皮膚に物理的な刺激を与えて皮膚の活性化を促すための美容方法や美容器具が様々提案されている。従来の美容器具としては、例えば、ゲルマニウムを付着したローラ部を柄部に設けた回転支軸に回転自在に取り付けた美容器具等が開示されている（例えば、特許文献１参照）。このような美容器具では、ゲルマニウムを付着させたローラ部を皮膚に当て回転させることにより、イオン化したゲルマニウムを皮膚へ浸透させて血流の流れを促進し老化を抑制するとともに皮膚の活性化を促している。
【０００３】
また、表面周囲にゲルマニウム層が被覆された円柱状のフェライト磁石から構成されるローラが回転軸に回転自在に取り付けられている美容器具が開示されている（例えば、特許文献２参照）。この美容器具では、ローラの周面前面に磁界が形成されるため、皮膚に常時磁界を作用させることができる。
【先行技術文献】
【特許文献】
【０００４】
【特許文献１】実用新案登録第３１６７４８８号
【特許文献２】特開平１１−２３５２８９号公報
【発明の概要】
【発明が解決しようとする課題】
【０００５】
しかしながら、特許文献１のような美容器具では、ゲルマニウムのイオン作用を得ることはできるが、皮膚に有効な電磁誘導作用を得ることはできない。また、特許文献２の美容器具でも、磁界による作用を受けることはできるが、ローラを回転させて使用するため、皮膚に有効な電磁誘導作用を得ることはできず、必ずしも効率良く細胞を活性化することはできないという問題がある。
【０００６】
本発明は、上記のような課題に鑑みてなされたものであって、電磁誘導作用を利用して効率的に細胞の活性化を促進することができる美容方法及び美容器具を提供することを目的とする。
【課題を解決するための手段】
【０００７】
上記目的を達成するために、請求項１記載の美容方法は、皮膚表面で、磁石を有するヘッド部を振動させて、電磁誘導により電流を発生させることを特徴としている。
【０００８】
請求項２記載の美容方法は、前記皮膚表面に接触する前記ヘッド部の接触部には、トルマリンが含まれていることを特徴としている。
【０００９】
請求項３記載の美容器具は、長尺に形成される柄部の先端にヘッド部が設けられる本体部と、前記柄部を介して前記ヘッド部を振動させるために、前記柄部に着脱自在に取り付けられる振動装置とを備える美容器具であって、前記ヘッド部は、磁石を有することを特徴としている。
【発明の効果】
【００１０】
請求項１記載の美容方法によれば、皮膚表面で、磁石を有するヘッド部を振動させて、電磁誘導により電流を発生させているので、肌の中で電子が振動し細胞のまわりの栄養と老廃物をスムーズに流して、細胞でエネルギーを生成する能力を高めることができる。これにより、血液とリンパの循環を改善することができると共に細胞を活性化させ、しわやたるみ等を改善することができる。
【００１１】
請求項２記載の美容方法によれば、皮膚に接触する接触部にトルマリンが含まれているので、トルマリンからマイナスイオン（電子）が皮膚へと伝わる。これにより、活性酸素などの肌の老化物質を還元することができるので、老化を抑制することができる。また、美容液を用いた場合には、イオン導入作用により美容液の浸透を高めることができる。
【００１２】
請求項３記載の美容器具によれば、柄部の先端に設けられるヘッド部は磁石を有しており、このヘッド部は振動装置によって柄部を介して振動する。従って、皮膚表面にヘッド部を接触させた状態で、ヘッド部を振動させて電磁誘導により電流を発生させることによって、肌の中で電子が振動し細胞のまわりの栄養と老廃物をスムーズに流して、細胞でエネルギーを生成する能力を高めることができる。これにより、血液とリンパの循環を改善することができると共に細胞を活性化させ、しわやたるみ等を改善することができる。
【図面の簡単な説明】
【００１３】
【図１】本発明の実施形態に係る美容器具の一例を示す概略図である。
【図２】本発明の実施形態に係る美容器具の一例を示す分解図である。
【図３】ヘッド部の内部構造の一例を示す概略断面図である。
【図４】本発明に係る美容器具の使い方について説明するための概略説明図である。
【発明を実施するための形態】
【００１４】
以下、本発明の実施形態に係る美容器具１について、図面を参照しつつ説明する。本発明に係る美容器具１は、図１及び図２に示すように、柄部２の先端にヘッド部３が設けられる本体部４と、柄部２の後端側に着脱自在に取り付けられる振動装置５とを備えている。
【００１５】
柄部２は、例えば、ＡＢＳ樹脂等の合成樹脂材料によって長尺に形成されている。柄部２の先端には、外観が略円柱状のヘッド部３が設けられている。このヘッド部３は、後述する磁石６を収納するケース部３１と、美容器具１を使用する際に皮膚表面に接触する接触部３２とを備えている。
【００１６】
ケース部３１と柄部２は、一体として形成されており、ケース部３１も柄部２と同様にＡＢＳ樹脂等の合成樹脂材料によって形成されている。また、ケース部３１は、図３に示すように、内部に磁石６を収納するための円筒状の収納部３１ａが形成されている。
【００１７】
ケース部３１に収納する磁石６としては、例えば、磁力性能及びコストを考慮して、フェライト磁石等を好適に用いることができる。尚、磁石６には、フェライト磁石以外にも、強い磁力を有するアルニコ磁石、サマリウム・コバルト磁石、ネオジウム・鉄・ボロン磁石等を用いても良い。
【００１８】
磁石６の形状としては、ケース部３１の収納部３１ａに効率的に収まるような円柱状のものを用いることが好ましいが特に限定されるものではなく、収納部３１ａに収まるものであれば良い。また、磁石６を収納部３１ａに収納する際には、磁石６のＮ極側が接触部３２側、つまり、美容器具１を使用する際に皮膚表面と対向する側に位置するように配置する。これにより、美容器具１を使用した際に、磁石６による磁界の向きは、図４に示すように、皮膚７に対して直交するようになる。
【００１９】
接触部３２は、図３に示すように、磁石６を収納する収納部３１ａの開口を閉じるようにケース部３１に取り付けられる。この接触部３２は、美容器具１を使用する際に皮膚表面接触する部分であって、例えば、シリコンゴム等によって形成される。
【００２０】
また、この接触部３２のシリコンゴムには、マイナスイオン（電子）を放出する物質であるトルマリンをミクロの粉状にしたものを練り込んでいる。トルマリンは、物理学上のエネルギーを与えることによって、より多くのマイナスイオン（電子）を放出するという性質を有している。従って、このトルマリンを接触部３２に使用することにより、ヘッド部３が振動した際には、発生作用を効率的に得ることができる。これにより、トルマリンからマイナスイオン（電子）が皮膚へと伝わり、活性酸素などの肌の老化物質を還元することができるので、老化を抑制することができる。
【００２１】
振動装置５は、柄部２を介してヘッド部３を振動させるためのものであって、図１及び２に示すように、略直方体形状のホルダー本体５１と、柄部２を着脱自在に固定するための固定部５２とを備えている。
【００２２】
ホルダー本体５１には、詳しくは図示しないが、柄部２の後端側を挿入することができる円筒状に形成された挿入部を有している。柄部２は、この挿入部に後端側が挿入された状態で固定部５２を締めることにより振動装置５に固定される。また、柄部２を振動装置５から取り外す場合には、固定部５２を弛めることにより取り外すことができる。
【００２３】
また、ホルダー本体５１の内部には、機械的振動を発生するための駆動モータ、該駆動モータを制御するためのモータ制御用基板、駆動モータを駆動させるための電池等の電源部等が内蔵されている。ホルダー本体５１の外面には、図１及び２に示すように、振動モータのオン／オフを切り替えるための電源スイッチ５３が設けられており、この電源スイッチ５３を入れることにより、モータ制御用基板から駆動モータに制御信号が送られ駆動モータが動作する。そして、駆動モータは、不図示の回転軸に固着した偏心状の偏心板を回転させて振動を発生させ、ここで発生した振動が柄部２を介してヘッド部３へと伝えられる。
【００２４】
この振動装置による振動数は特に限定されるものではないが、電子マッサージ効果とともに、皮膚に電磁誘導により電流を作用させるために、１分間に約１〜４万回程度の振動数を与えられることが好ましい。尚、振動装置５は、本実施形態に限定されるものではなく、ヘッド部３を振動させることができるものであれば、従来公知の他の振動装置を用いても良い。
【００２５】
以下、本発明に係る美容器具１の使用方法の一例について、図１〜４を参照しつつ説明する。まず、図４に示すように、美容器具１を用いる場合には、美容器具１のイオン導入作用をより有効にするために、予め美容液８等を皮膚７表面につけた状態で使用することが好ましい。尚、肩や腰等に対して美容器具１を用いる場合には、美容液８の代わりに水を用いても良い。
【００２６】
このように美容液８等を皮膚７表面につけた状態で、接触部３２を皮膚７表面に軽く押し当てる。この際、図４に示すように、ヘッド部３に内蔵されている磁石６によって皮膚７表面に対して直交する方向に磁界が生じている。この状態で、振動装置５の電源５３を入れることにより駆動モータを動作させ、柄部２を介してヘッド部３を振動させる。
【００２７】
ヘッド部３が振動すると、それに伴ってヘッド部３に内蔵されている磁石６にも力（振動）が加わることになる。磁石６が振動すると、磁界から物理学上の力が加わり、電磁誘導作用によって図４に示すように電流が発生する。これにより、皮膚の中で電子が振動し細胞のまわりの栄養と老廃物をスムーズに流して、細胞でエネルギーを生成する能力を高め、細胞を活性化させることができる。
【００２８】
また、このヘッド部３の振動によって接触部３２に含まれるトルマリンから、多くのマイナスイオン（電子）が放出される。これにより、マイナスイオン（電子）が皮膚７へと伝わって、活性酸素などの肌の老化物質を還元することができるので、老化を抑制することができる。また、イオン導入作用により美容液８の浸透を高めることができる。
【００２９】
尚、本実施形態では、振動装置５を設けた美容器具１を用いた場合を例に説明しているが、振動装置５を設けることなく、ユーザが本体部４の柄部２を把持した状態で、自ら手動で振動させるようにしても良い。
【００３０】
また、本発明の実施の形態は上述の形態に限るものではなく、本発明の思想の範囲を逸脱しない範囲で適宜変更することができる。
【符号の説明】
【００３１】
１        美容器具
２        柄部
３        ヘッド部
３２      接触部
５        振動装置
６        磁石
７        皮膚
【図１】
2014030563.tif 000003
【図２】
2014030563.tif 000004
【図３】
2014030563.tif 000005
【図４】
2014030563.tif 000006